(57)【特許請求の範囲】
【請求項１】
リールスプールを釣り竿に脱着可能に取り付けておくための固定具であって、スプール保持部と釣り竿への止着部を備え、スプール保持部が、スプールに巻き取られている釣り糸を外部に引き出した状態で、該スプールの出し入れが可能なスプールケースから構成されていることを特徴とするリールスプール固定具。
【請求項２】
止着部が釣り竿に巻き付け固定可能な竿バンドから構成されていることを特徴とする請求項１に記載のリールスプール固定具。
【請求項３】
止着部が、釣り竿のリールシートに取り付け固定可能な金具から構成されていることを特徴とする請求項１に記載のリールスプール固定具。
【発明の詳細な説明】
【０００１】
【発明の属する技術分野】
本発明はリールスプール固定具、特にスプールを、釣り用リールから取り外した状態で、釣りを開始するまでの間、一時的に釣り竿に取り付けておくのに便利なリールスプール固定具に関する。
【０００２】
【従来の技術】
釣り現場において釣りを開始するまでには、通常一般に、（i）釣り竿にリールをセットする、（ii）リールスプールから道糸を引き出しつつ釣り竿に通す、（iii）釣り竿に通した道糸の糸先部分に仕掛けをセットする、等の準備が必要である。上記釣り準備の内、（ii）の釣り竿への道糸通し作業は繁雑で面倒である。また磯釣り等では釣り竿に通した道糸に仕掛けの一部として浮きを取り付けることがあるが、この浮きの取付にも手間がかかる。このように釣り準備、特に（ii）及び（iii）にはかなりの手間と時間がかかり、釣り現場での釣り準備は、少しでも速く釣りを開始したいという釣り人にとって心理的負担が大きい。また磯釣りの場合、小さな独立磯では立ったままでこのような釣り準備を行うを余儀なくされることがあり、甚だ面倒である。従って、このような釣り準備は、釣り現場へ行く前に予め終えておくことが便利であり、図８に示すように、釣り準備を終えた釣り竿ａにはリールｂがセットされることになる。
【０００３】
【発明が解決しようとする課題】
釣り竿ａは、図９に示すように、通常一般には、竿ケースｃ内に収納した状態で釣り現場へ運ばれる。竿ケースｃの下部は収納スペースが広くなっているので、釣り竿ａに予めリールｂをセットしておいても、竿ケースｃ内への収納には、一応支障はない。ところが、図８に示すように、リールｂの本体部からはハンドルｂ１、竿への取付アームｂ２及び道糸ガイドｂ３等が飛び出しているのでかなり嵩高く、リールセット済み釣り竿の収納はスペース的に１〜２本が限度である。投げ釣りの場合、１人で４,５本の釣り竿を使用したり、また磯釣りの場合、小さな磯では携行できる荷物の量が制限されるので、釣り仲間２,３人分の釣り竿を１つの竿ケース内に収納することがあるが、２本が限度では不便である。この場合、例えば竿ケースのリール収納部分のスペースを拡大するようにすれば、４,５本程度のリールセット済み釣り竿を竿ケース内に一挙に収納することが可能になるかもしれないが、これでは釣りケースの下部が外側方へ大きく膨出し釣りケースｃの重量が増えるばかりでなく、４,５個のリール分の重量が増え、全体として持ち運び時の重量負担がかなり大きくなり、実用的でない。
【０００４】
本発明は、スプールを、釣り用リールから取り外した状態で、釣りを開始するまでの間、一時的に釣り竿に脱着可能に取り付けておくことができる固定具を提供することにより、上記問題点を一掃しようとするものである。
【０００５】
【課題を解決するための手段】
本発明は、リールスプールを釣り竿に脱着可能に取り付けておくための固定具であって、スプール保持部と釣り竿への止着部を備え、スプール保持部が、スプールに巻き取られている釣り糸を外部に引き出した状態で、該スプールの出し入れが可能なスプールケースから構成されていることを特徴とするリールスプール固定具に係る。
【０００６】
本発明の好ましい実施形態によれば、止着部は、釣り竿に巻き付け固定可能な竿バンド又は釣り竿のリールシートに取り付け可能な金具から構成されている。
【０００７】
【発明の実施の形態】
以下に本発明の各種の実施形態を添付図面に基づき説明する。 本発明リールスプール固定具は、構成要素として、スプールｂ４の保持部Ａと釣り竿ａへの止着部Ｂを備え、図１〜２に示された第１実施形態では、保持部Ａとしてスプールｂ４を出し入れできるスプールケース１が、また止着部Ｂとして釣り竿ａに巻き付け固定できる竿バンド２がそれぞれ示されている。
【０００８】
スプールケース１は一端側のヒンジ部３を支点として開閉できる前後一対の半ケース部１ａ,１ｂから構成され、ヒンジ部３と反対側には、半ケース部１ａ,１ｂを閉状態に拘束するための止め具が備えられている。  スプールｂ４に巻き取られている道糸ｄは半ケース部１ａ、１ｂの間から外部に引き出すことができる。止め具として雌雄一対の面ファスナーが適用され、一方半ケース部１ａの開閉操作部５の裏面に装着された一方面ファスナー４ａを他方半ケース部１ｂの表面に装着された他方面ファスナー４ｂ上に重合し係着させることにより、半ケース部１ａ,１ｂを閉状態に拘束できる構成になっている。止め具としては、その他ボタン、スナップばめ、尾錠式等、公知の各種の手段を適用できる。半ケース部１ａ,１ｂは、例えば皮革、擬革、プラスチックシートその他比較的腰のあるシート材料から構成することができる。
【０００９】
竿バンド２は表裏面の全長に亘って雌雄一対の面ファスナー６ａ，６ｂを備え、該竿バンド２はスプールケース１のヒンジ部３側の中間部に２つの半バンド部２ａ,２ｂに分かれて取り付けられており、図２に示すように、半バンド部２ａ,２ｂを釣り竿ａに巻き付けた状態で表裏面を重ね合わせ面ファスナー６ａ,６ｂ同士を係着させることにより、釣り竿ａに固定することができる。
【００１０】
以下、本発明固定具の一使用例を説明する。先ず、予備的操作として、図８に示す状態から、リールｂを釣り竿ａから取り外し、更に取り外したリールｂからスプールｂ４を取り外しておく。次いで、図１に示すように、スプールｂ４をスプールケース１内に収納し、面ファスナー４ａ,４ｂにより該ケース１を閉状態の拘束した後に、竿バンド２の適用により釣り竿ａに取り付け固定することにより、釣り竿ａにスプールｂ４を固定セットできる。尚、先に釣り竿ａに本発明固定具を取り付けた後に、スプールケース１内にスプールｂ４を収納するようにしてもよい。スプールｂ４の収納状態においては、道糸ｄの途中がスプールケース１の半ケース部１ａ,１ｂ間から外へ引き出されている。
【００１１】
スプールｂ４を釣り竿ａに取り付けた状態においては、釣り竿ａからはスプールケース１が外側方へ突出するが、リールｂをセットする場合に比べると、突出幅を略１/２またはそれ以下に低減できる。従って２本のリールセット済み釣り竿ａを収納できる竿ケースｃ（図９参照）の場合には、少なくとも２倍例えば４本程度のスプールセット済み釣り竿の収納が可能になる。また竿ケースｃ内に収納されるのは、リールｂの内、スプールｂ４だけであり、リールｂの本体部分は、例えば竿ケースｃとは別に持ち運べばよいので、竿ケースｃへの重量負担増も殆どなくなる。またスプールｂ４だけでよいので、竿ケースｃのリール収納部のスペース拡大も必要でない。従って、スプールセット済みの釣り竿を４本程度竿ケース内に収納してもそれほど重量が増えると言うことが無く、竿ケースの重量そのものは釣り竿だけを収納する場合とそれほど変わることはない。
【００１２】
釣り現場においては、釣り竿ａからスプールｂ４を取り外し、一方釣り竿ａのリールシートａ１（図８参照）に常法に従いリールｂの本体部をセットし、更にリールｂの本体部にスプールｂ４を再びセットすることにより、図８に示す状態に戻すことができる。リールｂの本体部へのスプールｂ４の再セットを先に行った後に、リールｂを釣り竿ａにセットするようにしてもよい。スプールｂ４の部分をリールｂの本体部分からボタン操作によってワンタッチ操作で脱着できるタイプのリールにおいては、現状への復元操作を素早く終えることができる。勿論、ドラグキャップによってスプールを取り付ける通常タイプのリールにおいても手間はそれほどかからない。
【００１３】
このように、本発明固定具を適用して、スプールを釣り竿に固定するようにすれば、竿ケースの収納スペース拡大や持ち運び時の重量負担増を殆ど招くことなしに、従来の２倍に相当する例えば４本のスプールセット付き釣り竿の収納が可能になり、釣り現場では、それほど時間や手間を有することなしに現状のリールセット付き釣り竿に復元することができ、すぐに釣りを開始することが可能になる。
【００１４】
図３,４は本発明の第２実施形態を示し、本実施形態では、スプールケース１が下部の収納容器１ａ１と上部の帽型蓋部１ｂ１とから構成され、蓋部１ｂ１には、道糸引き出し用のスリット７が周側部から天面中央に掛けて形成され、また天面中央に上記スリット７に連成するように糸通し穴８が形成されている。収納容器１ａ１と蓋部１ｂ１とは周側部の一部に備えた雌雄一対の面ファスナー９ａ,９ｂの係着,脱離操作により脱着でき、その内部にスプール（図示せず）を出し入れ自在に収納できるようになっている。図４に示すように、竿バンド２′が収納容器１ａ１の胴部の外周面に片持ち的に取り付けられ、該竿バンド２′を釣り竿ａに巻き付けた後に、該竿バンド２′の裏面全面に備えられている一方面ファスナー１０ａを同胴部に装着されている他方面ファスナー１０ｂに重合係着することにより、第１実施形態と同様にスプールケース１を釣り竿ａに止着できる構成になっている。
【００１５】
図５は本発明の第３実施形態を示し、本実施形態では、スプールの保持部Ａとしてスプールバンド１１が適用され、該バンド１１は、第１実施形態に示す竿バンド２と同様に半バンド部１１ａ,１１ｂに分かれ、これら半バンド部１１ａ,１１ｂをスプールｂ４の周溝の部分に巻き付けて重ね合わせ、重ね合わせ面を面ファスナー１２ａ,１２ｂの適用により止着することにより、スプールｂ４を保持できる。該釣り竿への止着部Ｂは第１実施形態と同じ構成の竿バンド２が適用され、該竿バンド２の裏面には滑り止め用凹凸（図示せず）を形成することができる。保持性向上を目的として、スプールバンド１１の下方側にスプールｂ４の大径部ｂ４１を嵌止めできる筒状部１３を備えることができる。
【００１６】
図６は本発明の第４実施形態を示し、本実施形態では第３実施形態における竿バンド２に替わり金具１４が適用され、該金具１４は釣り竿ａに備えられているリールシートａ１（図８参照）を利用して、釣り竿ａに固定できる構成になっており、それ以外の構成は第３実施形態と異なるところがない。スプール保持用のスプールバンドは、図７に示すように、スプールｂ４に十字クロス状に巻き付けた状態で保持できる十字クロス状のスプールバンド１５であってもよい。
【００１７】
本発明においては、スプール保持部としては、スプール軸にスプールを嵌挿保持させ、ドラグキャップを利用して抜け止めするような構成ものであってもよい。また釣り竿への止着具としては、割環型の止め輪を適用できる。
【００１８】
【発明の効果】
本発明によれば、スプールを、釣り用リールから取り外した状態で、釣りを開始するまでの間、一時的に釣り竿に固定しておくことができる固定具を提供することができ、従来のリールセット済みに変わり、スプールセット済みに変更することにより、釣り準備が整った釣り竿の竿ケース内への収納本数の増大を図ることができる。
【図面の簡単な説明】
【図１】本発明の第１実施形態を示す、スプール保持状態の斜視図である。
【図２】同、釣り竿への止着状態を示す斜視図である。
【図３】本発明の第２実施形態を示す斜視図である。
【図４】同、底面図である。
【図５】本発明の第３実施形態を概略的に示す斜視図である。
【図６】本発明の第４実施形態を示す斜視図である。
【図７】第４実施形態の変更例を概略的に示す斜視図である。
【図８】リールセット済み釣り竿の斜視図である。
【図９】竿ケース内にリールセット済み取り竿の２本を収納した状態を示す概略説明図である。
【符号の説明】
Ａ・・・スプールの保持部
Ｂ・・・釣り竿への止着部
１・・・スプールケース
１ａ・・・半ケース部
１ｂ・・・半ケース部
２・・・竿バンド
３・・・ヒンジ部
４ａ・・・面ファスナー
４ｂ・・・面ファスナー
５・・・開閉操作部
６ａ・・・面ファスナー
６ｂ・・・面ファスナー
７・・・スリット
８・・・糸通し穴
１１・・・スプールバンド
１４・・・金具
【図１】
0004373559.tif 000002
【図２】
0004373559.tif 000003
【図３】
0004373559.tif 000004
【図４】
0004373559.tif 000005
【図５】
0004373559.tif 000006
【図６】
0004373559.tif 000007
【図７】
0004373559.tif 000008
【図８】
0004373559.tif 000009
【図９】
0004373559.tif 000010